(57)【要約】      （修正有）【課題】レポートテンプレートを作成する上で、分析レポートの出力状態を効率的に確認する手段を提供することを課題とする。【解決手段】分析装置のレポート作成装置２００は、レポートのテンプレートを作成するテンプレート作成部２２１と、テンプレート作成部２２１により作成されたテンプレートのプレビュー表示を行うプレビュー表示部２２２とを備える。テンプレートは、複数の編集項目を含む。プレビュー表示部２２２は、作成されたテンプレートに基づき、編集項目単位でテンプレートのプレビュー表示を行う。【選択図】図３
2020186917.tif 000002
【特許請求の範囲】
【請求項１】
分析装置から取得された分析結果のレポートを作成する装置であって、
前記レポートのテンプレートを作成するテンプレート作成部と、
前記テンプレート作成部により作成された前記テンプレートのプレビュー表示を行うプレビュー表示部と、
を備え、
前記テンプレートは、
複数の編集項目、
を含み、
前記プレビュー表示部は、作成された前記テンプレートに基づき、編集項目単位で前記テンプレートのプレビュー表示を行う、分析装置のレポート作成装置。
【請求項２】
前記テンプレート作成部は、
前記複数の編集項目のうち、編集対象の編集項目の編集内容を前記分析装置のレポート作成装置に接続された表示装置に表示し、
前記プレビュー表示部は、
前記表示装置に編集内容が表示されている前記編集対象の編集項目をプレビュー表示する、請求項１に記載の分析装置のレポート作成装置。
【請求項３】
前記テンプレート作成部は、前記編集項目内における表示項目を選択する、請求項１または請求項２に記載の分析装置のレポート作成装置。
【請求項４】
前記テンプレート作成部は、前記編集項目内における前記表示項目の表示順序を設定する、請求項３に記載の分析装置のレポート作成装置。
【請求項５】
前記テンプレート作成部は、前記編集項目内における前記表示項目の表示態様を設定する、請求項３または請求項４に記載の分析装置のレポート作成装置。
【請求項６】
前記テンプレート作成部は、前記編集項目内におけるレポート内容の配置パターンを設定する、請求項１ないし請求項５のいずれか一項に記載の分析装置のレポート作成装置。
【請求項７】
分析装置から取得された分析結果のレポートを作成する方法であって、
前記レポートのテンプレートを作成する作成画面を表示装置に表示するステップと、
前記テンプレートに含まれる複数の編集項目のうち、プレビュー表示の対象となる一の編集項目を特定するステップと、
作成された前記テンプレートに基づき、前記一の編集項目に関して前記テンプレートのプレビュー表示を行うステップと、
を含む、分析装置のレポート作成方法。
【請求項８】
分析装置から取得された分析結果のレポートを作成するプログラムであって、
前記レポートのテンプレートを作成する作成画面を表示装置に表示する処理と、
前記テンプレートに含まれる複数の編集項目のうち、プレビュー表示の対象となる一の編集項目を特定する処理と、
作成された前記テンプレートに基づき、前記一の編集項目に関して前記テンプレートのプレビュー表示を行う処理と、
をコンピュータに実行させるための分析装置のレポート作成プログラム。
【発明の詳細な説明】
【技術分野】
【０００１】
本発明は、分析装置の分析結果のレポートを作成する装置、方法およびプログラムに関する。
【背景技術】
【０００２】
液体クロマトグラフ等の分析装置における分析結果は、分析装置に接続されたコンピュータの記憶装置に分析データとして保存される。コンピュータは、分析データおよびレポートテンプレートを読み出し、分析レポートを出力する。レポートテンプレートは、分析レポートの出力内容が定義されたデータである。レポートテンプレートにおいて、分析レポートに出力する分析項目の種類等が定義される。
【０００３】
ユーザは、レポートテンプレートを新規に作成することや、コンピュータに保存されたレポートテンプレートを変更することが可能である。下記特許文献１には、分析レポートを作成する際に利用されるテンプレートを作成する装置が開示されている。
【先行技術文献】
【特許文献】
【０００４】
【特許文献１】国際公開第２０１７／０９８７９３号公報
【発明の概要】
【発明が解決しようとする課題】
【０００５】
ユーザは、分析レポートの目的に応じて、様々なレポートテンプレートを作成する。ユーザは、レポートテンプレートをイメージ化することで、作成したレポートテンプレートを利用した分析レポートの出力状態を確認する。ユーザは、レポートテンプレートの編集および出力状態の確認を繰り返して行いながらレポートテンプレートを完成させるため、分析レポートの出力状態を効率的に確認したいという要望がある。
【０００６】
本発明の目的は、レポートテンプレートを作成する上で、分析レポートの出力状態を効率的に確認する手段を提供することである。
【課題を解決するための手段】
【０００７】
本発明の一局面に従う分析装置のレポート作成装置は、分析装置から取得された分析結果のレポートを作成する装置であって、レポートのテンプレートを作成するテンプレート作成部と、テンプレート作成部により作成されたテンプレートのプレビュー表示を行うプレビュー表示部とを備える。テンプレートは、複数の編集項目を含む。プレビュー表示部は、作成されたテンプレートに基づき、編集項目単位でテンプレートのプレビュー表示を行う。
【０００８】
分析装置のレポート作成装置は、編集項目単位でテンプレートのプレビュー表示を行うので、プレビュー表示のためのイメージ化処理に要する時間を短縮することができる。また、編集項目単位でプレビュー表示が行われるため、ユーザは、目的とする編集項目の確認が行い易い。
【発明の効果】
【０００９】
本発明によれば、レポートテンプレートを作成する上で、分析レポートの出力状態を効率的に確認する手段を提供することができる。
【図面の簡単な説明】
【００１０】
【図１】図１は、本実施の形態に係る分析システムの全体図である。
【図２】図２は、本実施の形態に係るコンピュータの構成図である。
【図３】図３は、本実施の形態に係るコンピュータの機能ブロック図である。
【図４】図４は、テンプレートのプレビュー表示処理を示すフローチャートである。
【図５】図５は、テンプレートの作成画面を示す図である。
【図６】図６は、編集項目単位で出力されたテンプレートの項目プレビューを示す図である。
【発明を実施するための形態】
【００１１】
次に、添付の図面を参照しながら本発明の実施の形態に係る分析装置のレポート作成装置、方法およびプログラムの構成について説明する。
【００１２】
（１）分析システムの全体構成
図１は、本実施の形態に係る分析システム５の全体図である。分析システム５は、コンピュータ１および液体クロマトグラフ３を備える。コンピュータ１および液体クロマトグラフ３は、ネットワーク４を介して接続される。ネットワーク４は、例えばＬＡＮ（Ｌｏｃａｌ  Ａｒｅａ  Ｎｅｔｗｏｒｋ）である。
【００１３】
コンピュータ１には、液体クロマトグラフ３を制御するためのプログラムがインストールされる。また、コンピュータ１には、液体クロマトグラフ３の分析結果のレポートを出力するためのプログラム、レポートテンプレートを作成するためのプログラムがインストールされる。
【００１４】
液体クロマトグラフ３は、ポンプユニット、オートサンプラユニット、カラムオーブンユニットおよび検出器ユニット等を備える。液体クロマトグラフ３は、また、システムコントローラを備える。システムコントローラは、コンピュータ１からネットワーク４経由で受信した制御指示に従って、液体クロマトグラフ３を制御する。システムコントローラは、液体クロマトグラフ３の分析結果のデータを、ネットワーク４経由でコンピュータ１に送信する。
【００１５】
（２）分析システムの構成
図２は、コンピュータ１の構成図である。コンピュータ１は、本実施の形態においてはパーソナルコンピュータが利用される。コンピュータ１は、ＣＰＵ（Ｃｅｎｔｒａｌ  Ｐｒｏｃｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、通信インタフェース１０３、外部インタフェース１０４、記憶装置１０５、表示装置１１０および操作部１１１を備える。記憶装置１０５は、例えばハードディスクである。
【００１６】
ＣＰＵ１０１は、コンピュータ１の制御を行う。ＲＡＭ１０２は、ＣＰＵ１０１がプログラムを実行するときにワークエリアとして使用される。通信インタフェース１０３は、他のコンピュータおよびデバイスと通信を行うインタフェースである。通信インタフェース１０３は、ネットワーク４に接続される。外部インタフェース１０４は、記憶媒体Ｄ１にアクセスするためのインタフェースである。表示装置１１０は、例えば液晶ディスプレイである。操作部１１１は、例えばキーボードおよびマウス等を含む。
【００１７】
記憶装置１０５には、分析データＡＤ、テンプレートＴＤ、分析管理プログラムＰ１およびレポート作成プログラムＰ２が保存される。分析データＡＤは、液体クロマトグラフ３から受信した分析結果のデータである。テンプレートＴＤは、分析結果のレポートの出力内容を定義したデータである。分析管理プログラムＰ１は、液体クロマトグラフ３を制御するためのプログラムである。レポート作成プログラムＰ２は、液体クロマトグラフ３の分析結果のレポートを出力するためのプログラムである。
【００１８】
図３は、コンピュータ１の機能ブロック図である。制御部２００は、ＣＰＵ１０１が、ＲＡＭ１０２をワークエリアとして使用し、各種のプログラムを実行することにより実現される機能部である。分析管理部２１０は、ＣＰＵ１０１が、ＲＡＭ１０２をワークエリアとして使用し、分析管理プログラムＰ１を実行することにより実現される機能部である。レポート作成部２２０は、ＣＰＵ１０１が、ＲＡＭ１０２をワークエリアとして使用し、レポート作成プログラムＰ２を実行することにより実現される機能部である。
【００１９】
分析管理部２１０は、液体クロマトグラフ３の制御を行う。分析管理部２１０は、オペレータから分析条件等の入力および分析処理の指示を受けて、液体クロマトグラフ３に対する制御指示を行う。分析管理部２１０は、また、液体クロマトグラフ３の分析結果である分析データＡＤの表示装置１１０に対する表示および分析データＡＤの解析処理等を行う。
【００２０】
レポート作成部２２０は、液体クロマトグラフ３の分析結果のレポートを出力する機能部である。レポート作成部２２０は、分析データＡＤおよびテンプレートＴＤを読み込み、テンプレートＴＤに従った形式で、分析データＡＤのレポートを作成する。レポート作成部２２０は、テンプレート作成部２２１およびプレビュー表示部２２２を備える。
【００２１】
テンプレート作成部２２１は、テンプレートＴＤを作成する機能部である。テンプレート作成部２２１は、新規のテンプレートＴＤを作成する機能および記憶装置１０５に保存されているテンプレートＴＤを変更する機能を備える。テンプレート作成部２２１は、作成または変更したテンプレートＴＤを記憶装置１０５に保存する。
【００２２】
プレビュー表示部２２２は、テンプレート作成部２２１が作成したテンプレートＴＤのプレビュー表示を行う。テンプレートＴＤのプレビュー表示とは、テンプレートＴＤに基づいて作成される分析レポートのイメージデータを表示装置１１０に表示させることである。本実施の形態においては、プレビュー表示部２２２は、ＰＤＦ（Ｐｏｒｔａｂｌｅ  Ｄｏｃｕｍｅｎｔ  Ｆｏｒｍａｔ）形式でテンプレートＴＤのプレビュー表示を行う。プレビュー表示に利用されるイメージデータの形式は、ＰＤＦに限られず、他にも例えば、ＪＰＥＧ（Ｊｏｉｎｔ  Ｐｈｏｔｏｇｒａｐｈｉｃ  Ｅｘｐｅｒｔｓ  Ｇｒｏｕｐ）、ＴＩＦＦ（Ｔａｇｇｅｄ  Ｉｍａｇｅ  Ｆｉｌｅ  Ｆｏｒｍａｔ）などが利用可能である。
【００２３】
（３）テンプレートの作成およびプレビュー表示の方法
次に、図４〜図６を参照しながら、テンプレートＴＤの作成およびプレビュー表示の方法について説明する。
【００２４】
図４は、テンプレートＴＤの作成およびプレビュー表示の方法を示すフローチャートである。図４のフローチャートは、テンプレート作成部２２１およびプレビュー表示部２２２により実行される処理である。
【００２５】
ステップＳ１において、テンプレート作成部２２１が、テンプレートＴＤの作成画面５０を表示装置１１０に表示する。例えば、ユーザがコンピュータ１の操作部１１１を操作し、レポート作成プログラムＰ２を起動することにより、テンプレートＴＤの作成画面５０が表示装置１１０に表示される。
【００２６】
図５は、表示装置１１０に表示されたテンプレートＴＤの作成画面５０を示す図である。作成画面５０は、編集項目リストエリア５１および編集ウィンドウエリア５２を備える。
【００２７】
編集項目リストエリア５１には、テンプレートＴＤに組み込み可能な複数の編集項目のリストが表示されている。図５の例では、編集項目として、「ヘッダー」、「フッター」、「メソッドファイル」、「検量線」、「結果表」、「クロマトグラム」および「ＭＳスペクトル」が表示されている。図５に示す編集項目は一例であり、テンプレートＴＤには、分析データＡＤのレポートを作成する上で必要な様々な編集項目が組み込み可能である。編集項目には、「メソッドファイル」、「検量線」、「結果表」、「クロマトグラム」および「ＭＳスペクトル」のように、分析データＡＤに記録されている分析条件または分析結果に関する項目が含まれる。編集項目には、また、「ヘッダー」および「フッター」のように、レポートの書式に関する項目が含まれる。
【００２８】
編集項目リストエリア５１において、各編集項目の文字列の左側には、チェックボックスが表示されている。ユーザが、コンピュータ１の操作部１１１を操作し、チェックボックスにチェックを入れることにより、編集項目が選択される。選択された編集項目は、テンプレートＴＤに組み込まれる。つまり、選択された編集項目は、分析レポートに組み込まれる。図５においては、「ヘッダー」、「フッター」、「結果表」および「クロマトグラム」の編集項目にチェックがされた状態を示す。つまり、テンプレートＴＤには、「ヘッダー」、「フッター」、「結果表」および「クロマトグラム」が編集項目として組み込まれる。
【００２９】
編集ウィンドウエリア５２には、選択された編集項目に対応するウィンドウが表示される。図５においては、編集ウィンドウエリア５２には、選択された「ヘッダー」、「フッター」、「結果表」および「クロマトグラム」に対応した４つのウィンドウＷ１，Ｗ２，Ｗ３，Ｗ４が重ねて表示されている。図５においては、４つのウィンドウＷ１〜Ｗ４のうち、「クロマトグラム」に対応するウィンドウＷ４が最前面に配置され、その他のウィンドウＷ１〜Ｗ３は、ウィンドウＷ４の背後に配置されている。
【００３０】
各ウィンドウＷ１〜Ｗ４の上端には、タイトルとして編集項目名が記載されたタイトルバーＴ１〜Ｔ４が設けられている。ユーザが、操作部１１１を操作して、いずれかのウィンドウＷ１〜Ｗ４のタイトルバーＴ１〜Ｔ４を選択することで、編集対象の編集項目が選択される。選択された編集項目のウィンドウは、最前面に表示され、選択された編集項目の編集内容ＥＣが表示される。図５の例では、「クロマトグラム」のウィンドウＷ４が編集対象として選択され、「クロマトグラム」の編集内容ＥＣが、ウィンドウＷ４内に表示されている。
【００３１】
図５に示す「クロマトグラム」のウィンドウＷ４には、「クロマトグラム」の編集内容ＥＣとして、「表示項目」、「表示フォント」、「表示サイズ」および「配置パターン」の編集メニューが表示されている。
【００３２】
「表示項目」の編集メニューには、表示項目リスト５２１および選択リスト５２３が配置されている。表示項目リスト５２１には、テンプレートＴＤに組み込み可能な表示項目のリストが表示されている。ユーザは、操作部１１１を操作し、表示項目リスト５２１にリストされた表示項目の中から、テンプレートＴＤに組み込む表示項目を選択する。続いて、ユーザは、操作部１１１を操作し、組み込みボタン５２２を選択する。これにより、選択された表示項目が選択リスト５２３に加えられる。図５の例では、テンプレートＴＤに組み込む表示項目として、「ＩＤ」および「面積」が選択された状態を示している。
【００３３】
また、選択リスト５２３の側部には、順序指定ボタン５２４が配置されている。順序指定ボタン５２４は、上方向への順序移動ボタンおよび下方向への順序移動ボタンの２つのボタンからなる。選択リスト５２３に表示された表示項目の順序（上下の配列順）は、テンプレートＴＤにおける「表示項目」の表示順序に対応している。ユーザは、操作部１１１を操作し、選択リスト５２３内にリストされたいずれかの表示項目を選択するとともに、順序指定ボタン５２４を操作することにより、表示項目の表示順序を設定することができる。
【００３４】
「表示フォント」の編集メニューには、ドロップダウンリスト５２５が配置されている。ユーザは、操作部１１１を操作し、ドロップダウンリスト５２５を操作することにより、テンプレートＴＤに組み込む表示項目のフォントを設定することができる。ドロップダウンリスト５２５には、例えば、「ゴシック」、「Ａｒｉａｌ」等のフォント名が選択可能に表示される。
【００３５】
「表示サイズ」の編集メニューには、ドロップダウンリスト５２６が配置されている。ユーザは、操作部１１１を操作し、ドロップダウンリスト５２６を操作することにより、テンプレートＴＤに組み込む表示項目のフォントサイズを設定することができる。
【００３６】
「配置パターン」の編集メニューには、ドロップダウンリスト５２７が配置されている。ユーザは、操作部１１１を操作し、ドロップダウンリスト５２７を操作することにより、テンプレートＴＤに組み込むクロマトグラムの配置パターンを設定することができる。例えば、配置パターンとしては、「縦２×横２」、「縦２×横３」等が選択可能である。
【００３７】
図５に示した例では、編集対象として「クロマトグラム」のウィンドウＷ４が選択されているため、編集内容ＥＣとして、「クロマトグラム」に関する編集内容ＥＣが表示される。編集対象として別のウィンドウＷ１〜Ｗ３が選択された場合には、それぞれの編集項目に応じた編集内容ＥＣが表示される。ユーザは、適宜、ウィンドウＷ１〜Ｗ４を切り換えながら、各ウィンドウＷ１〜Ｗ４において、テンプレートＴＤの作成作業を行う。
【００３８】
ユーザは、各ウィンドウＷ１〜Ｗ４に対して編集作業を行っている中で、テンプレートＴＤのプレビュー表示を行うことができる。ユーザは、テンプレートＴＤのプレビュー表示を行うことで、テンプレートＴＤに基づいて作成される分析レポートの出力状態を確認することができる。テンプレートＴＤのプレビュー表示には、編集項目単位でプレビューを行う項目プレビュー表示と、テンプレートＴＤの全体をプレビューする全体プレビュー表示とがある。まずは、項目プレビュー表示について説明する。
【００３９】
項目プレビュー表示を行うために、ユーザは、まず、項目プレビュー表示の対象となる編集項目を選択する。具体的には、ユーザは、項目プレビュー表示を行いたいウィンドウＷ１〜Ｗ４のタイトルバーＴ１〜Ｔ４を選択する。これにより、編集対象となるウィンドウが項目プレビュー表示の対象となる。
【００４０】
作成画面５０の下部には、「項目プレビュー」ボタン５３１および「全体プレビュー」ボタン５３２が配置されている。ユーザは、操作部１１１を操作し、「項目プレビュー」ボタン５３１を選択することにより、選択された編集項目の項目プレビュー表示の指示を行う。
【００４１】
ユーザにより、「項目プレビュー」ボタン５３１が選択されると、プレビュー表示部２２２は、図４に示すステップＳ２を実行し、項目プレビュー表示の対象となる編集項目を特定する。つまり、プレビュー表示部２２２は、図５に示す編集ウィンドウエリア５２の中で、編集対象として選択されている編集項目を項目プレビュー表示の対象として特定する。図５の例では、編集項目「クロマトグラム」が項目プレビュー表示の対象として特定される。
【００４２】
続いて、図４のステップＳ３において、プレビュー表示部２２２は、特定された編集項目の項目プレビューを表示装置１１０に出力する。プレビュー表示部２２２は、テンプレートＴＤの中で、特定された編集項目についての項目プレビュー表示を行う。プレビュー表示部２２２は、テンプレートＴＤの中で、特定された編集項目以外の編集項目については、プレビュー表示を行わない。例えば、表示装置１１０に対して、ＰＤＦ形式で、項目プレビュー表示が行われる。
【００４３】
図６は、表示装置１１０に表示された項目プレビュー６０を示す図である。図６に示す項目プレビューは、編集項目「クロマトグラム」について生成されている。つまり、項目プレビュー６０は、テンプレートＴＤの中で、編集項目「クロマトグラム」の部分を抽出したプレビューである。項目プレビュー６０は、図５の編集内容ＥＣにおける設定内容に基づいて生成される。例えば、図５において、表示項目として「ＩＤ」および「面積」が選択されているため、項目プレビュー６０においては、クロマトグラムの側部に、「ＩＤ」および「面積」が表示される。図５における選択リスト５２３の表示順序が「ＩＤ」→「面積」の順序であるので、項目プレビュー６０においても、「ＩＤ」→「面積」の順序で上から表示されている。また、表示される「ＩＤ」および「面積」のフォントおよびフォントサイズは、ドロップダウンリスト５２５，５２６の設定内容に従って決定される。また、表示されるクロマトグラムの配置は、ドロップダウンリスト５２７の設定内容に従って決定される。図６の例では、クロマトグラムは、縦２×横２の配置パターンが設定されている。
【００４４】
プレビュー表示部２２２は、作成されたテンプレートＴＤおよびプレビュー用の分析データに基づいて項目プレビュー６０を生成する。図６に示す項目プレビュー６０には、プレビュー用の分析データが仮の分析データとして利用されている。あるいは、プレビュー表示部２２２は、記憶装置１０５に保存されている実際の分析データＡＤを利用して項目プレビュー６０を生成してもよい。
【００４５】
ユーザは、項目プレビュー６０を参照し、テンプレートＴＤを編集項目単位で確認する。ユーザは、項目プレビュー６０を参照した後、必要に応じて再び作成画面５０においてテンプレートＴＤの編集作業を行う。ユーザは、テンプレートＴＤを編集項目単位で編集およびプレビュー確認しながら効率良くテンプレートＴＤを作成することができる。また、ユーザは必要に応じて項目プレビュー６０をコンピュータ１に接続された図示せぬプリンタから印刷することにより、テンプレートＴＤを編集項目単位で確認することができる。
【００４６】
このように、本実施の形態のコンピュータ１は、編集項目単位でテンプレートＴＤの項目プレビュー表示を行うので、項目プレビュー表示のためのイメージ化処理に要する時間を短縮することができる。テンプレートＴＤに組み込まれる編集項目が多い場合、テンプレートＴＤの全体をイメージ化するために要する時間は長くなる。本実施の形態においては、ユーザが確認したい編集項目だけをイメージ化するため、処理時間を短縮することができる。また、編集項目単位で項目プレビュー表示が行われるため、ユーザは、目的とする編集項目の確認が行い易い。
【００４７】
また、本実施の形態のコンピュータ１は、表示装置１１０に編集内容ＥＣが表示されている編集項目を項目プレビュー表示する。表示装置１１０に表示されている編集項目が項目プレビュー表示されるので、ユーザにとって操作性が良い。
【００４８】
以上説明したように、ユーザは、図５に示すテンプレートＴＤの作成画面５０において、「項目プレビュー」ボタン５３１を選択することで、編集対象となっている編集項目について項目プレビュー表示を行うことができる。テンプレートＴＤの全体についてプレビュー表示をしたい場合には、ユーザは、操作部１１１を操作し、「全体プレビュー」ボタン５３２を選択すればよい。これにより、いずれの編集項目が編集対象となっているか否かに関わらず、テンプレートＴＤの全体をプレビュー表示させることができる。
【００４９】
（４）請求項の各構成要素と実施の形態の各要素との対応
以下、請求項の各構成要素と実施の形態の各要素との対応の例について説明するが、本発明は下記の例に限定されない。上記の実施の形態では、液体クロマトグラフ３が分析装置の例であり、コンピュータ１がレポート作成装置の例である。また、上記の実施の形態では、表示フォントおよび表示サイズが、表示態様の例であり、クロマトグラムがレポート内容の例である。
【００５０】
請求項の各構成要素として、請求項に記載されている構成または機能を有する種々の要素を用いることもできる。
【００５１】
（５）他の実施の形態
上記実施の形態においては、分析装置として液体クロマトグラフ３の分析結果のレポートを作成する場合を例に説明した。分析装置は液体クロマトグラフに限らず、本発明は、ガスクロマトグラフや質量分析装置にも適用可能である。
【００５２】
上記実施の形態においては、作成画面５０において編集対象となっている編集項目が項目プレビュー表示される場合を例に説明した。具体的には、表示装置１１０に編集内容ＥＣが表示されている編集項目が項目プレビュー表示される場合を例に説明した。他の例としては、作成画面５０に、項目プレビュー表示の対象となる編集項目を指定するメニューを設けても良い。
【００５３】
上記実施の形態においては、レポート作成プログラムＰ２は、記憶装置１０５に格納される場合を例に説明した。レポート作成プログラムＰ２は、図２に示すように、記憶媒体Ｄ１に格納されて提供されてもよい。ＣＰＵ１０１は、記憶媒体Ｄ１に格納されたレポート作成プログラムＰ２を外部インタフェース１０４を介して読み込む。ＣＰＵ１０１は、記憶媒体Ｄ１に格納されたレポート作成プログラムＰ２を直接起動してもよいし、コンピュータ１にインストールしてもよい。記憶媒体Ｄ１としては、ＣＤ−ＲＯＭ，ＤＶＤまたはＵＳＢメモリ等が利用可能である。
【００５４】
上記実施の形態においては、コンピュータ１に分析管理プログラムＰ１およびレポート作成プログラムＰ２の両方がインストールされる場合を例に説明した。他の例としては、コンピュータ１には分析管理プログラムＰ１がインストールされており、他のコンピュータ（サーバ等）にレポート作成プログラムＰ２がインストールされていてもよい。この場合、コンピュータ１は、ネットワーク経由で他のコンピュータにインストールされているレポート作成プログラムＰ２を起動して実行すればよい。例えば、ＷＷＷ（Ｗｏｒｌｄ  Ｗｉｄｅ  Ｗｅｂ）サーバで起動したレポート作成プログラムを、コンピュータ１で起動したＷＥＢブラウザを利用して実行してもよい。あるいは、分析管理プログラムＰ１およびレポート作成プログラムＰ２の両方をサーバにインストールし、コンピュータ１は両方のプログラムをネットワーク経由で実行してもよい。
【００５５】
なお、本発明の具体的な構成は、前述の実施形態に限られるものではなく、発明の要旨を逸脱しない範囲で種々の変更および修正が可能である。
【００５６】
（６）態様
上述した複数の例示的な実施の形態は、以下の態様の具体例であることが当業者により理解される。
【００５７】
（第１項）一態様に係る分析装置のレポート作成装置は、
分析装置から取得された分析結果のレポートを作成する装置であって、
前記レポートのテンプレートを作成するテンプレート作成部と、
前記テンプレート作成部により作成された前記テンプレートのプレビュー表示を行うプレビュー表示部と、
を備え、
前記テンプレートは、
複数の編集項目、
を含み、
前記プレビュー表示部は、作成された前記テンプレートに基づき、編集項目単位で前記テンプレートのプレビュー表示を行う。
【００５８】
分析装置のレポート作成装置は、編集項目単位でテンプレートのプレビュー表示を行うので、プレビュー表示のためのイメージ化処理に要する時間を短縮することができる。また、編集項目単位でプレビュー表示が行われるため、ユーザは、目的とする編集項目の確認が行い易い。
【００５９】
（第２項）第１項に記載の分析装置のレポート作成装置において、
前記テンプレート作成部は、
前記複数の編集項目のうち、編集対象の編集項目の編集内容を前記分析装置のレポート作成装置に接続された表示装置に表示し、
前記プレビュー表示部は、
前記表示装置に編集内容が表示されている前記編集対象の編集項目をプレビュー表示する。
【００６０】
分析装置のレポート作成装置は、表示装置に編集内容が表示されている編集項目をプレビュー表示する。表示装置に表示されている編集項目がプレビュー表示されるので、ユーザにとって操作性が良い。
【００６１】
（第３項）第１項または第２項に記載の分析装置のレポート作成装置において、
前記テンプレート作成部は、前記編集項目内における表示項目を選択する。
【００６２】
ユーザは、編集項目内で表示項目の選択操作を行った後、編集項目単位のプレビュー表示を行うことができる。これにより、選択した表示項目が組み込まれたテンプレートの確認作業の利便性が向上する。
【００６３】
（第４項）第３項に記載の分析装置のレポート作成装置において、
前記テンプレート作成部は、前記編集項目内における前記表示項目の表示順序を設定する。
【００６４】
ユーザは、編集項目内で表示項目の表示順序の設定操作を行った後、編集項目単位のプレビュー表示を行うことができる。これにより、表示項目の表示順序の確認作業の利便性が向上する。
【００６５】
（第５項）第３項または第４項に記載の分析装置のレポート作成装置において、
前記テンプレート作成部は、前記編集項目内における前記表示項目の表示態様を設定する。
【００６６】
ユーザは、編集項目内で表示項目の表示態様の設定操作を行った後、編集項目単位のプレビュー表示を行うことができる。これにより、表示項目の表示態様の確認作業の利便性が向上する。
【００６７】
（第６項）第１項ないし第５項のいずれか一項に記載の分析装置のレポート作成装置において、
前記テンプレート作成部は、前記編集項目内におけるレポート内容の配置パターンを設定する。
【００６８】
ユーザは、編集項目内で表示項目の配置パターンの設定操作を行った後、編集項目単位のプレビュー表示を行うことができる。これにより、表示項目の配置パターンの確認作業の利便性が向上する。
【００６９】
（第７項）一態様に係る分析装置のレポート作成方法は、
分析装置から取得された分析結果のレポートを作成する方法であって、
前記レポートのテンプレートを作成する作成画面を表示装置に表示するステップと、
前記テンプレートに含まれる複数の編集項目のうち、プレビュー表示の対象となる一の編集項目を特定するステップと、
作成された前記テンプレートに基づき、前記一の編集項目に関して前記テンプレートのプレビュー表示を行うステップと、
を含む。
【００７０】
（第８項）一態様に係る分析装置のレポート作成プログラムは、
分析装置から取得された分析結果のレポートを作成するプログラムであって、
前記レポートのテンプレートを作成する作成画面を表示装置に表示する処理と、
前記テンプレートに含まれる複数の編集項目のうち、プレビュー表示の対象となる一の編集項目を特定する処理と、
作成された前記テンプレートに基づき、前記一の編集項目に関して前記テンプレートのプレビュー表示を行う処理と、
をコンピュータに実行させる。
【符号の説明】
【００７１】
１…コンピュータ、３…液体クロマトグラフ、５０…作成画面、５１…編集項目リストエリア、５２…編集ウィンドウエリア、１０５…記憶装置、２００…制御部、２２０…レポート作成部、２２１…テンプレート作成部、２２２…プレビュー表示部
【図１】
2020186917.tif 000003
【図２】
2020186917.tif 000004
【図３】
2020186917.tif 000005
【図４】
2020186917.tif 000006
【図５】
2020186917.tif 000007
【図６】
2020186917.tif 000008